(57)【要約】【課題】島設備のテーブルの利便性を向上させ、かつ搬送中の下皿の破損を防止するとともに、テーブル上の効率的な片付け及び清掃作業を可能にする。【解決手段】パチンコ機２の下皿２７は、下部扉２４の前面側から突出される突出位置と、下部扉２４内に収納される収納位置の間で移動自在である。下皿２７には、突出位置及び収納位置の各位置で、上皿２６からオーバーフローした遊技球、または排出された遊技球が流れ込んで収容される。下皿２７が収納位置にあるときには、島設備のテーブル上の空間が広くなる。【選択図】図２
2009011729.tif 000002
【特許請求の範囲】
【請求項１】
遊技機本体から払い出された遊技球を収容する上皿と、
前記上皿からオーバーフロー、または排出された前記遊技球が流れ込む排出路と、
前記遊技機本体の前面から突出される突出位置と、前記遊技機本体内に収納される収納位置との間で移動自在に設けられ、前記突出位置及び収納位置にあるときに、前記排出路から排出された前記遊技球を収容する下皿を備えることを特徴とする弾球遊技機。
【請求項２】
前記下皿は、前記突出位置または前記収納位置にあるときに、前記排出路に対面して前記遊技球を受ける球受け部を有することを特徴とする請求項１記載の弾球遊技機。
【請求項３】
前記下皿が前記収納位置にあるときに、前記排出路から排出される前記遊技球を検出し、または前記下皿内の前記遊技球の存在を検出して報知する報知手段を有することを特徴とする請求項１または２記載の弾球遊技機。
【請求項４】
前記下皿を前記突出位置に向けて押し出す押出手段を有することを特徴とする請求項１〜３いずれか記載の弾球遊技機。
【請求項５】
前記下皿を前記収納位置で係止する係止手段を有することを特徴とする請求項１〜４いずれか記載の弾球遊技機。
【請求項６】
前記下皿に設けられ、収容された前記遊技球を下方に排出する球抜き孔と、前記球抜き孔を開放する開放位置と、前記球抜き孔を閉じる閉じ位置との間で移動自在とされた球抜き弁と、前記下皿が前記収納位置に移動されたときに、前記球抜き弁を前記閉じ位置でロックするロック手段を有することを特徴とする請求項１〜５いずれか記載の弾球遊技機。
【発明の詳細な説明】
【技術分野】
【０００１】
本発明は、遊技機本体から払い出された遊技球を収容する上皿と、この上皿からオーバーフロー、または排出された遊技球を収容する下皿を備える弾球遊技機に関する。
【背景技術】
【０００２】
発射機構により遊技盤上に遊技球を打ち出し、遊技盤上を流下する遊技球を入賞口に入賞させ、入賞の景品である賞球の払い出しを受ける弾球遊技機として、パチンコ機が知られている。このパチンコ機の外観形状は、遊技盤の前面に配置されるガラス扉と、このガラス扉の下方に配置される受け皿から構成される。
【０００３】
受け皿は、発射機構に対して遊技球を供給し、かつ遊技機本体から払い出された賞球を収容する上皿と、上皿の収容量を超えてオーバーフローした遊技球、または遊技者の操作によって上皿から排出された遊技球を収容する下皿から構成される。この上皿及び下皿は、遊技機本体の前面側に上下に並んで配設している（例えば、特許文献１参照）。
【０００４】
パチンコ機は、遊技店内に設けられた島設備に設置される。島設備には、球箱や、遊技者の持ち物等を置けるようにするため、パチンコ機の下方に奥行きの狭いテーブルが設けられている。このテーブルは、横方向に並んで配列された複数台のパチンコ機の下方に横断的に設けられ、テーブルと下皿との間には、球箱を置くことができる程度の間隔が設けられている。下皿に収容された遊技球は、下皿の球抜き弁を操作して球抜き孔を開放することで、下方の球箱内に排出される。
【特許文献１】特許第３１４８３５２号公報
【発明の開示】
【発明が解決しようとする課題】
【０００５】
遊技者が使用できるテーブル上のスペースは、下皿の下に球箱が置かれるため非常に狭くなる。また、テーブルの上に球箱を置かない場合でも、テーブルと下皿との間の間隔が小さいため、置くことができる持ち物の高さ寸法が限られており、遊技者の利便性が低いという問題があった。
【０００６】
また、下皿は、上皿に比べて小さく薄いので強度が低い。そのため、パチンコ機を遊技店まで搬送する際に下皿の保護が必要となり、梱包コスト、搬送コスト等に影響を及ぼすことがあった。
【０００７】
更に、遊技店では、テーブルを複数台のパチンコ機の下方に横断的に設けている点を利用して、球箱をテーブルの一端側から押して他端側に集めてから片付けたり、あるいはテーブルの一端側から他端側まで連続して雑巾掛けを行なう等、効率的な片付け及び清掃作業を行なっている。しかし、パチンコ機の機種によってはテーブルと下皿との間が狭いため、球箱の移動が難しく、連続した雑巾掛けを行なうことができないという問題があった。
【０００８】
本発明は、上記問題を解決するため、島設備のテーブルの利便性を向上させ、かつ搬送中の下皿の破損を防止するとともに、テーブル上の効率的な片付け及び清掃作業を可能にする弾球遊技機を提供する。
【課題を解決するための手段】
【０００９】
上記課題を解決するために本発明の弾球遊技機は、遊技機本体から払い出された遊技球を収容する上皿と、上皿からオーバーフロー、または排出された遊技球が流れ込む排出路と、遊技機本体の前面から突出される突出位置と、遊技機本体内に収納される収納位置との間で移動自在に設けられ、突出位置及び収納位置にあるときに排出路から排出された遊技球を収容する下皿を設けたものである。
【００１０】
また、本発明の別の弾球遊技機は、上記構成に加え、下皿に対し、突出位置または収納位置にあるときに排出路に対面して遊技球を受ける球受け部を設けたものである。
【００１１】
更に、本発明の別の弾球遊技機は、上記構成に加え、下皿が収納位置にあるときに、排出路からの遊技球の排出を検出し、または下皿内の遊技球の存在を検出して報知する報知手段を備えるものである。
【００１２】
また、本発明の更に別の弾球遊技機は、上記構成に加え、下皿を突出位置に向けて押し出す押出手段を設けたものである。なお、下皿を収納位置で係止する係止手段を設けてもよい。
【００１３】
更に、本発明の別の弾球遊技機は、上記構成に加え、下皿に設けられ、収容された遊技球を下方に排出する球抜き孔と、球抜き孔を開放する開放位置と、球抜き孔を閉じる閉じ位置との間で移動自在とされた球抜き弁と、下皿が収納位置に移動されたときに、球抜き弁を閉じ位置でロックするロック手段を設けたものである。
【発明の効果】
【００１４】
本発明の弾球遊技機によれば、下皿を収納位置に移動させることによりテーブルの利用スペースが広くなる。また、従来、下皿にぶつかって置くことができなかった高さの物でも下皿に干渉することなく置くことができるので、テーブルの利便性が向上する。更に、下皿を収納位置に移動させることにより破損の危険性が小さくなるので、パチンコ機の搬送時の梱包コスト、搬送コストが低減する。また、下皿を収納位置に移動させることで、テーブル上の球箱の片付け、テーブルの清掃等を効率よく行なうことができる。
【００１５】
また、下皿が突出位置または収納位置にあるときに、上皿からオーバーフローされた遊技球、または排出された遊技球を収容できるようにしたので、従来のパチンコ機の下皿と同様の機能を得ることができる。
【００１６】
更に、下皿が収納位置にあるときに収容されている遊技球が存在することを報知するので、遊技球の取り忘れを防止することができる。
【００１７】
また、下皿を突出位置に向けて押し出す押出手段と、収納位置で係止する係止手段を設けたので、下皿を適正な位置で固定することができる。更に、各位置で下皿にガタツキが生じたり、下皿が不用意に移動するのを防止することができる。
【００１８】
また、下皿に設けられた球抜き弁は、下皿が収納位置に移動されたときに閉じ位置でロックされるようにしたので、球抜き穴が開放された状態で下皿が突出位置に移動されることによる遊技球の誤排出を防止することができる。
【００１９】
また、下皿を収納位置に移動させた状態では、下皿が常に突出されている従来のパチンコ機と異なる外観形状を得ることができるので、新規なデザインを遊技者に強くアピールすることができ、他機種に対する識別性も高めることができる。
【発明を実施するための最良の形態】
【００２０】
図１に示す本発明のパチンコ機２は、遊技球が流下する遊技盤３と、この遊技盤３が前面に設けられた遊技機本体４と、遊技盤３の前方を開閉できるように一端部が遊技機本体４に回動自在に軸支されたガラス扉５と、このガラス扉５の下方に配置され、同様に開閉自在とされた受け皿ユニット６から構成されている。
【００２１】
遊技盤３には、打ち出された遊技球をガイドするレール９と、センター役物と呼ばれる構造物１０と、通過チャッカー１１，始動チャッカー１２，入賞チャッカー１３，アタッカー１４等の遊技球が入賞する入賞装置と、これらの入賞装置１１〜１４に入賞しなかった遊技球を遊技盤３上から回収する回収口１５等が設けられている。なお、遊技盤３上の各構造物については周知なので、詳しい説明は省略する。
【００２２】
遊技機本体４内には、遊技盤３上に遊技球を打ち出す発射機構、各入賞装置１１〜１４に遊技球が入賞したときに賞球を払い出す払出し機構、上記回収口１５から回収された遊技球を遊技店の設備に回収する回収機構、パチンコ機２全体を制御する制御回路等が設けられている。この遊技機本体４は、外周に設けられた固定枠１８の内側に取り付けられ、この固定枠１８が遊技店の島設備に固定される。
【００２３】
ガラス扉５の中央には、このガラス扉５が閉じられている状態で遊技盤３を視認可能にする開口５ａが設けられている。この開口５ａは、例えばガラス板２１等の透光性を有する部材を裏側から取り付けて遮蔽している。
【００２４】
受け皿ユニット６は、遊技機本体４に対して開閉自在にされた下部扉２４と、この下部扉２４の前面に設けられる操作ハンドル２５と、上皿２６及び下皿２７から構成されている。操作ハンドル２５は、遊技者が把持して回転操作できる構造を有し、回転操作により内部に組み込んだ回転ボリューム（図示せず）が回転すると、その回転量に合わせた打ち出し強さで発射機構が動作し、遊技盤３上に遊技球が打ち出される。
【００２５】
上皿２６には、払出し機構から遊技球が払い出される払出し口３０と、払い出された遊技球を収容する収容部３１と、収容した遊技球を整列させて発射機構に送り出す送出し通路３２が設けられている。収容部３１の底面は、送出し通路３２に向けて遊技球が転動するように傾斜されている。上皿２６の前面には、上皿２６内に収容している遊技球を下皿に排出する際にスライド操作される排出操作部３３が設けられている。
【００２６】
上皿２６を２点鎖線で表す図２（Ａ）に示すように、下皿２７には、遊技球が排出される排出口３６と、排出された遊技球を収容する収容部３７と、収容部３７の底面に貫通して設けられた球抜き孔３８と、この球抜き孔３８を開閉する球抜き弁３９とが設けられている。球抜き弁３９は、下皿２７の前面に設けられた球抜き操作部４０と一体に設けられており、この球抜き操作部４０が左方へスライド操作されると連動して同方向にスライドし、球抜き孔３９を開放する。
【００２７】
図３は、払出し機構４３から下皿２７までの遊技球の移動経路を表す説明図である。上皿２６と発射機構４４との間に設けられた送出し通路３２には、上皿２６から排出された遊技球を排出口３６から排出する排出路４５が接続されている。また、送出し通路３２と発射機構４４、送出し通路３２と排出路４５の間には、それぞれを開閉する弁４６が設けられている。弁４６は左右方向に移動可能であり、常態では送出し通路３２と発射機構４４との間を連通状態にし、送出し通路３２と排出路４５との間を遮断する。そして、上皿２６に設けられた排出操作部３３がスライド操作されると、弁４６が左方に移動して送出し通路３２と排出路４５との間を開放する。これにより、上皿２６内の遊技球が下皿２７に排出される。
【００２８】
また、払出し機構４３から上皿２６の払出し口３０に至る払出し通路５０と、排出路４５との間には、迂回路５１が設けられている。上皿２６の収容容量を超える遊技球が払出し機構４３から払い出されると、上皿２６からオーバーフローした遊技球が迂回路５１及び排出路４５を経て下皿２７に排出される。
【００２９】
図２（Ａ）に示すように、下皿２７は、下部扉２４の前面から突出される突出位置と、同図（Ｂ）に示すように下部扉２４内に収納される収納位置との間で移動自在に設けられている。下部扉２４の前面には、収納位置に移動された下皿２７の突出量に合せて膨出された膨出部５４，５５が下皿２７の上下に設けられている。下膨出部５５には、下皿２７が突出位置に移動されたときに球抜き孔３８に対面する凹部５６が設けられている。
【００３０】
図４（Ａ），（Ｂ）は、下皿２７上面位置での平面断面を表し、図５は、図４（Ａ）のＡ−Ａ断面を表す。下部扉２４は、外装となる前面パネル５９とこの前面パネル５９の背後に配置される背面パネル６０とを備えており、この前面パネル５９及び背面パネル６０をそれぞれ貫通するように、下皿２７が組み込まれる組込開口５９ａ，６０ａが形成されている。
【００３１】
前面パネル５９及び背面パネル６０には、下皿２７の下面２７ａを受ける受け板６３，６４が設けられている。また、背面パネル６０には、下皿２７の側面２７ｂにスライド方向に沿って設けられた溝２７ｃに挿入されるガイド突起６５と、下皿２７が突出位置に移動されたときに、下皿２７の側面後方に設けられた屈曲部６６に係合して抜け止めを行なう抜け止め突起６７が設けられている。
【００３２】
受け板６４の背面側の端縁には、上方に突出されたバネ取付部６８と、後方に突出されたラッチ取付部６９が設けられている。バネ取付部６８には、下皿２７の背面を押圧して突出位置に移動させる押出バネ７０が取り付けられる。ラッチ取付部６９には、下皿２７が収納位置に移動されたときに背面２７ｄに設けられた係止突起７１に係合して収納位置で保持するラッチ７２が取り付けられる。このラッチ７２は、下皿２７が収納位置から更に押し込まれることで係止突起７１の係合を解除する。押出バネ７０及びラッチ７２は、本発明の押出手段及び係止手段を構成する。
【００３３】
下皿２７の背面２７ｄには、排出路４５から排出された遊技球７５を受ける球受け部７６が一体に設けられている。上述した排出口３６は、収容部３７と球受け部７６との接続部から構成される。球受け部７６は、突出位置、または収納位置のいずれの位置でも遊技球７５を受けられるよう後方に突出するように設けられており、受けた遊技球７５を収容部３７に向けて転動させるため、底面７６ａ及び背面７６ｂが傾斜されている。
【００３４】
下皿２７の収容部３７は、内部に球抜き弁３９を左右方向でスライド自在に収容し、その上に内張り部材７９を嵌合することにより、底面部が３層構造となる。球抜き孔３８は、下皿２７と内張り部材７９にそれぞれ設けられている。
【００３５】
球抜き弁３９は、球抜き孔３８を開閉する平板状の弁板部８２と、この弁板部８２の側面から立設され、下皿２７の前面からスライド自在に露呈される球抜き操作部４０から構成されている。弁板部８２には、スライド方向に沿って平行な一対のスリット８３が形成されており、これらのスリット８３には下皿２７の内側に立設されたピン８４が挿入されてスライドがガイドされる。球抜き弁３９は、バネ８５によって球抜き孔３８を塞ぐ方向に付勢されており、この押出バネ７０の付勢に抗してスライドされることで、球抜き孔３８が開放される。弁板部８２の左側面には、対面するように設けられたラッチ８６に係止される係止突起８７が設けられており、球抜き孔３８を開放する位置で保持することができる。
【００３６】
下皿２７が収納位置にあるときに球抜き弁３９がスライド自在であっても球抜き孔３８は受け板６４によって塞がれるため、遊技球７５が球抜き孔３８から落下することはない。しかし、球抜き弁３９が開放位置にあることを忘れて下皿２７を突出位置に移動させることにより、球抜き孔３８から遊技球７５が落下する操作ミスの発生が考えられる。この操作ミスを防止するため、下皿２７が収納位置にあるときに球抜き弁３９のスライドをロックするロック手段を設けている。このロック手段は、弁板部８２の背面側端縁に下皿２７のスライド方向に沿って形成され、かつ下皿２７の外部に露呈された切欠８９と、排出路４５の側面に設けられ、下皿２７が収納位置に移動されたときに切欠８９に係合する突起９０から構成されている。このロック手段は、部品構成及び構造が簡単なため、ローコストで高い動作信頼性を得ることができる。
【００３７】
排出路４５の側面には開口９３が形成されており、この開口９３に対面するように遊技球検出センサ９４が取り付けられている。この遊技球検出センサ９４には、例えば反射形または透過型の光電センサ、接触センサ等が用いられ、排出路４５を通過する遊技球７５を検出する。また、球受け部７６の側方には、側面７６ｃに接触して下皿２７が収納位置にあることを検出する下皿位置検出センサ９５が設けられている。この下皿位置検出センサ９５と遊技球検出センサ９４は、パチンコ機２を制御する制御回路９６に接続されている。更に、上皿２６の前面には、透光性を有する遮蔽板９７で塞がれた開口９８が設けられており、この開口９８の背後には制御回路９６に接続されたランプ９９が配置されている。
【００３８】
遊技球検出センサ９４、下皿位置検出センサ９５、制御回路９６、ランプ９９は、本発明の報知手段を構成する。図６のフローチャートに示すように、制御回路９６は、下皿位置検出センサ９５によって下皿２７の位置を検出する（Ｓ１）。下皿２７が収納位置にあるときには、遊技球検出センサ９４によって排出路４５から排出される遊技球７５を検出する（Ｓ２）。遊技球検出センサ９４によって遊技球７５を検出したときには、ランプ９９を点灯させて遊技者に報知する（Ｓ３）。報知後、下皿２７の突出位置への移動を下皿位置検出センサ９５で検知し（Ｓ４）、検知後にランプ９９を消灯する（Ｓ５）。これにより、下皿２７内の遊技球７５の取り忘れを防止することができる。
【００３９】
次に、上記実施形態の作用について説明する。パチンコ機２の下皿２７は、下部扉２４に対して突出する突出位置と収納される収納位置との間で移動される。下皿２７が収納位置にあるときには、パチンコ機２の前面デザインがすっきりとした印象となるため、遊技者に新規なデザインをアピールし、かつ他機種との識別性が付与される。また、パチンコ機２を遊技店に納入する際に下皿２７を収納位置に移動させておけば、薄く壊れやすい下皿２７の破損を防止することができ、梱包、搬送コストが低減する。
【００４０】
パチンコ機２で遊技を行なう際には、下皿２７を突出させるか否かが遊技者によって任意に選択される。下皿２７を突出させた状態では、下皿２７に排出される遊技球７５を視認できるので、従来のパチンコ機と同様に出玉感を得ることができる。また、下皿２７を収納させた状態では、図５に２点鎖線で示すように、島設備に設けられたテーブル１０５と上皿２６との間に広いスペースを形成されるので、従来の機種では置くことができなかった比較的大きな物でもテーブル１０５上に置くことができ、遊技者の利便性が向上する。また、テーブル１０５上の片付け及び清掃が行ないやすくなる。
【００４１】
また、下皿２７が収納位置にある状態で遊技球７５が排出された場合には、上皿２６の遮蔽盤９７に配置されたランプ９９が点灯して遊技者に報知するので、遊技球７５の取り忘れが発生することはない。
【００４２】
なお、上記実施形態では、前後方向のスライドにより下皿２７を移動させるようにしたが、収納位置と突出位置の間で回動させてもよい。また、下皿２７の突出位置への移動に押出バネ７０を用いたが、手動で引き出すようにしてもよいし、あるいはソレノイドやモーター等を用いて移動させてもよい。更に、遊技者の任意で移動させるようにしたが、例えば、遊技終了時、遊技待機状態が長い時に自動的に収納位置に移動させる引込手段を用いてもよいし、遊技球７５の排出に応じて自動的に突出移動させる等、任意移動と自動移動とを組み合わせてもよい。
【００４３】
また、上記実施形態では、遊技球７５の排出を検知して報知するようにしたが、撮像装置や、重量センサ等を用いて下皿２７内の遊技球７５の有無を検出し、報知してもよい。
【図面の簡単な説明】
【００４４】
【図１】本発明を用いたパチンコ機の構成を示す外観斜視図である。
【図２】下皿が突出位置及び収納位置にある状態を示す外観斜視図である。
【図３】払出し機構から下皿までの遊技球の移動経路を示す説明図である。
【図４】下皿の上面位置での平面断面図である。
【図５】図４のＡ−Ａ断面図である。
【図６】下皿に遊技球が排出されたときの報知手順を示すフローチャートである。
【符号の説明】
【００４５】
２  パチンコ機
４  遊技機本体
６  受け皿ユニット
２６  上皿
２７  下皿
３６  排出口
３７  収容部
３８  球抜き孔
３９  球抜き弁
４５  排出路
７０  押出バネ
７２  ラッチ
７５  遊技球
７６  球受け部
９４  遊技球検出センサ
９５  下皿位置検出センサ
９６  制御回路
９９  ランプ
【図１】
2009011729.tif 000003
【図２】
2009011729.tif 000004
【図３】
2009011729.tif 000005
【図４】
2009011729.tif 000006
【図５】
2009011729.tif 000007
【図６】
2009011729.tif 000008